【手続補正書】
【提出日】平成16年3月18日(2004.3.18)
【手続補正１】
【補正対象書類名】明細書
【補正対象項目名】発明の名称
【補正方法】変更
【補正の内容】
【発明の名称】作業進捗状況に応じた班別作業仕分け修正方法および班別作業仕分け修正プログラム


【手続補正２】
【補正対象書類名】明細書
【補正対象項目名】特許請求の範囲
【補正方法】変更
【補正の内容】
【特許請求の範囲】
【請求項１】
（ａ）特定の期間内に完了させるべき複数の作業を複数の作業班に分担して作業させるため、各作業班が担当すべき作業案件およびその作業順ならびに各作業案件の作業場所、指定された作業開始時間帯、作業開始予定時刻および作業終了予定時刻を含む作業仕分けデータをあらかじめ格納しておく工程と、
（ｂ）各作業班が各作業案件の作業を開始した実際の作業開始時刻を該作業班からの通報に基づいて前記（ａ）の工程で格納した作業仕分けデータに書き込む工程と、
（ｃ）各作業班が各作業案件の作業を終了した実際の作業終了時刻を該作業班からの通報に基づいて前記（ａ）の工程で格納した作業仕分けデータに書き込む工程と、
（ｄ）ある作業班に割り当てられた作業案件が全件終了したとき、前記（ｂ）の工程で作業仕分けデータに書き込まれた各作業案件の実際の作業開始時刻を参照して、当該全件終了作業班を除く他の作業班に割り当てられた未開始作業案件の中から、当該全件終了作業班の最終作業場所から所定の基準により最も近いと判断される未開始作業案件を一または複数抽出する工程と、
（ｅ）当該全件終了作業班が、最終作業場所から前記（ｄ）の工程で最も近いと判断された未開始作業案件の作業場所に移動するための所要時間を予測して、当該全件終了作業班に当該未開始作業案件を追加担当させたときにその指定作業開始時間帯の条件を満たすか否かを判定する工程と、
（ｆ）前記（ｅ）の工程による判定結果に基づいて前記未開始作業案件を前記全件終了作業班に追加担当させることを決定したときに、当該全件終了作業班が担当すべき最後の作業案件として当該未開始作業案件を追加するとともに、当該他の作業班の担当作業案件から当該未開始作業案件を削除したことに伴う当該他の作業班の以降の作業予定を再計算して、前記（ａ）の工程で格納した作業仕分けデータを修正する工程、をコンピュータに実行させることを特徴とする作業進捗状況に応じた班別作業仕分け修正方法。
【請求項２】
前記（ｆ）の工程は、（ｆ−１）当該他の作業班について削除した未開始作業案件の直前に割り当てられている直前作業案件の作業場所およびその作業終了予定時刻ならびに当該削除作業案件の直後に割り当てられている直後作業案件の作業場所への移動所要予測時間に基づいて、当該直後作業案件の作業開始予定時刻を算出する工程と、（ｆ−２）当該作業班が当該直後作業案件の作業に要する作業予測時間に基づいて当該直後作業案件の作業終了予定時刻を算出する工程と、を含むことを特徴とする、請求項１記載の班別作業仕分け修正方法。
【請求項３】
さらに、（ｇ）特定の作業案件について前記（ｂ）または（ｃ）の工程で書き込まれた実際の作業開始時刻または作業終了時刻が前記（ａ）の工程で格納した作業仕分けデータにおける当該作業案件についての作業開始予定時刻または作業終了予定時刻と異なるときに、予定時刻と実際時刻との差分だけ、以降の作業案件についての作業開始予定時刻および作業終了予定時刻を修正する工程、をコンピュータに実行させることを特徴とする、請求項１記載の班別作業仕分け修正方法。
【請求項４】
さらに、（ｈ）前記（ａ）の工程で格納した作業仕分けデータを参照して、特定の作業案件について作業開始予定時刻または作業終了予定時刻が経過したにもかかわらず実際の作業開始時刻または作業終了時刻を書き込む前記（ｂ）または前記（ｃ）の工程が実行されないときに、当該作業案件についての作業開始予定時刻または作業終了予定時刻を一定のインターバルで自動的に現在時刻に延長更新する工程と、（ｉ）前記（ｈ）の工程により延長更新された作業開始予定時刻または作業終了予定時刻に応じて、以降の作業案件についての作業開始予定時刻および作業終了予定時刻を延長更新する工程と、をコンピュータに実行させることを特徴とする、請求項１記載の班別作業仕分け修正方法。
【請求項５】
（ａ）特定の期間内に完了させるべき複数の作業を複数の作業班に分担して作業させるため、各作業班が担当すべき作業案件およびその作業順ならびに各作業案件の作業場所および指定された作業開始時間帯を含む作業仕分けデータをあらかじめ格納しておく工程と、
（ｂ）各作業班が各作業案件の作業を開始した実際の作業開始時刻を該作業班からの通報に基づいて前記（ａ）の工程で格納した作業仕分けデータに書き込む工程と、
（ｃ）各作業班が各作業案件の作業を終了した実際の作業終了時刻を該作業班からの通報に基づいて前記（ａ）の工程で格納した作業仕分けデータに書き込む工程と、
（ｄ）前記（ｂ）の工程で書き込んだ実際の作業開始時刻または前記（ｃ）の工程で書き込んだ実際の作業終了時刻および／または作業班の現在位置ならびに現在時刻に基づいて、作業班の以降の作業案件の作業開始予定時刻を予測し、前記（ａ）の工程で格納した作業仕分けデータに基づいて以降の作業案件を予定通りに行った場合にそれらの指定作業開始時間帯の条件を満たすか否かを判定する工程と、
（ｅ）前記（ｄ）の工程によりある作業班について指定作業開始時間帯の条件を満たさない作業案件があると判定されたときに、当該遅延作業班を除く他の作業班に割り当てられた未開始作業案件の中から、所定の基準により当該遅延予定作業案件の作業場所に最も近いと判断される現在位置にある他の作業班を一または複数抽出する工程と、
（ｆ）前記（ｅ）の工程で最も近いと判断された当該他の作業班が当該遅延予定作業案件の作業場所に移動するための所要時間を予測して、当該他の作業班に当該遅延予定作業案件を追加担当させたときに当該遅延予定作業案件および以降の作業案件についての指定作業開始時間帯の条件を満たすか否かを判定する工程と、
（ｇ）前記（ｆ）の工程による判定結果に基づいて前記遅延予定作業案件を前記他の作業班に追加担当させることとしたときに、当該遅延作業班についての作業仕分けデータから当該遅延予定作業案件を削除することに伴う当該遅延作業班の以降の作業予定を再計算するとともに、当該他の作業班についての作業仕分けデータに当該遅延作業予定作業案件を追加することに伴う当該他の作業班の以降の作業予定を再計算して、前記（ａ）の工程で格納した作業仕分けデータを修正する工程、をコンピュータに実行させることを特徴とする作業進捗状況に応じた班別作業仕分け修正方法。
【請求項６】
前記（ｇ）の工程は、（ｇ−１）当該遅延作業班について削除した当該遅延予定作業案件の直前に割り当てられている直前作業案件の作業場所およびその作業終了時刻ならびに当該遅延予定作業案件の直後に割り当てられている直後作業案件の作業場所への移動所要予測時間に基づいて、当該直後作業案件の作業開始予定時刻を算出する工程と、（ｇ−２）当該遅延作業班が当該直後作業案件の作業に要する作業予測時間に基づいて当該直後作業案件の作業終了予定時刻を算出する工程と、（ｇ−３）当該遅延作業班について割り当てられている以降の作業案件の作業開始予定時刻および作業終了予定時刻を順次同様にして算出する工程と、（ｇ−４）当該他の作業班に当該遅延予定作業案件を追加担当させたときのその作業開始予定時刻を前記（ｆ）の工程による判定に基づいて算出する工程と、（ｇ−５）当該他の作業班が当該遅延予定作業案件の作業に要する作業予測時間に基づいてその作業終了予定時刻を算出する工程と、（ｇ−６）当該他の作業班について割り当てられている以降の作業案件の作業開始予定時刻および作業終了予定時刻を順次同様にして算出する工程と、を含むことを特徴とする、請求項５記載の班別作業仕分け修正方法。
【請求項７】
（ａ）特定の期間内に完了させるべき複数の作業を複数の作業班に分担して作業させるため、各作業班が担当すべき作業案件およびその作業順ならびに各作業案件の作業場所および指定された作業開始時間帯を含む作業仕分けデータをあらかじめ格納しておく工程と、
（ｂ）各作業班が各作業案件の作業を開始した実際の作業開始時刻を該作業班からの通報に基づいて前記（ａ）の工程で格納した作業仕分けデータに書き込む工程と、
（ｃ）各作業班が各作業案件の作業を終了した実際の作業終了時刻を該作業班からの通報に基づいて前記（ａ）の工程で格納した作業仕分けデータに書き込む工程と、
（ｄ）前記特定の期間内における作業中にさらに該特定の期間内に完了させるべき作業案件について、その作業場所および指定作業開始時間帯を含む追加作業オーダを取得する工程と、
（ｅ）各作業班の現在位置を取得する工程と、
（ｆ）前記（ｄ）の工程で取得した追加作業オーダの作業場所に、所定の基準により最も近いと判断される現在位置にある作業班を一または複数抽出する工程と、
（ｇ）前記（ｆ）の工程で最も近いと判断された当該作業班が当該追加作業案件の作業場所に移動するための所要時間を予測して、当該作業班に当該追加作業案件を追加担当させたときに当該追加作業案件および以降の作業案件についての指定作業開始時間帯の条件を満たすか否かを判定する工程と、
（ｈ）前記（ｇ）の工程による判定結果に基づいて当該追加作業案件を当該作業班に追加担当させることを決定したときに、当該作業班についての作業仕分けデータに当該追加作業案件を追加することに伴う当該当該作業班の以降の作業予定を再計算して、前記（ａ）の工程で格納した作業仕分けデータを修正する工程、をコンピュータに実行させることを特徴とする作業進捗状況に応じた班別作業仕分け修正方法。
【請求項８】
前記（ｈ）の工程は、（ｈ−１）当該作業班の当該追加作業案件を追加担当させたときのその作業開始予定時刻を前記（ｇ）の工程による判定に基づいて算出する工程と、（ｈ−２）当該作業班が当該追加作業案件の作業に要する作業予測時間に基づいて当該追加作業案件の作業終了予定時刻を算出する工程と、（ｈ−３）当該作業班について割り当てられている以降の作業案件の作業開始予定時刻および作業終了予定時刻を順次同様にして算出する工程と、を含むことを特徴とする、請求項７記載の班別作業仕分け修正方法。
【請求項９】
作業班の現在位置を、作業班が携帯または車載するＧＰＳ受信機が受信した現在位置情報を電話回線等の公衆通信網を介して取得することを特徴とする、請求項１ないし８のいずれかに記載の班別作業仕分け修正方法。
【請求項１０】
請求項１ないし９のいずれか記載の班別作業仕分けの修正方法における各処理をコンピュータに実行させるための班別作業仕分け修正プログラム。